(57)【要約】【課題】本発明は利用者が持参した容器の洗浄、乾燥、殺菌を実施可能な飲料用自動販売機の容器洗浄機を提供することを課題とする。【解決手段】容器１を保持する保持手段５と、洗浄する洗浄手段と、乾燥する乾燥手段と、殺菌手段とを備えており、保持手段は、容器の開口部が下になるように容器の底面を吸着する吸着機構と底部を把持する把持機構４を備え、洗浄手段は、容器内部洗浄機構７と容器外部洗浄機構８を備え、乾燥手段は、容器内部乾燥機構と容器外部乾燥機構６を備え、殺菌手段は、容器内部殺菌機構１７を備え、把持機構は、容器を把持したまま回転する回転機構に備えられ、容器内部洗浄機構と容器外部乾燥機構は、高圧の液体や高圧の気体を噴出するためのノズルヘッド２を先端に備えた配管であるノズルヘッド支持体３を備え、ノズルヘッド支持体は駆動機構１１に備えられていることを特徴とする容器洗浄機。【選択図】図１
2017051904.tif 000002
【特許請求の範囲】
【請求項１】
飲料用自動販売機に使用する容器洗浄機であって、
飲料用自動販売機の利用者が持参した容器を吸着し、把持し固定するための保持手段と、洗浄するための洗浄手段と、洗浄後に液滴を除去し乾燥するための乾燥手段と、乾燥後に殺菌するための殺菌手段と、これらの手段の動作を制御するための制御手段とを備えており、
保持手段は、把持機構により容器の開口部が下になるように容器を保持するものであり、
洗浄手段は、容器の内部に挿入して洗浄するための容器内部洗浄機構と、容器の外部を洗浄するための容器外部洗浄機構を備えており、
乾燥手段は、容器の内部に挿入して液滴を除去し乾燥するための容器内部乾燥機構と、容器の外部の液滴を除去し乾燥するための容器外部乾燥機構を備えており、
殺菌手段は、容器の内部に挿入して殺菌するための容器内部殺菌機構を備えており、
把持機構は、容器を把持したまま回転することで、容器に付着した液体や水滴を除去可能な回転機構に備えられており、
容器内部洗浄機構と容器外部洗浄機構は、高圧の液体や高圧の気体を噴出するためのノズルヘッドとそのノズルヘッドを先端に備えた配管であるノズルヘッド支持体を備えており、各ノズルヘッド支持体は、ノズルヘッド支持体を保持して駆動することが可能なノズルヘッド支持体駆動機構に備えられていることを特徴とする容器洗浄機。
【請求項２】
飲料用自動販売機に使用する容器洗浄機であって、
飲料用自動販売機の利用者が持参した容器を吸着し、把持し固定するための保持手段と、洗浄・乾燥・殺菌を同時に行う洗浄・乾燥・殺菌手段と、これらの手段の動作を制御するための制御手段とを備えており、
保持手段は、把持機構により容器の開口部が下になるように容器を保持するものであり、
洗浄・乾燥・殺菌手段は、容器の内部に挿入して洗浄するための容器内部洗浄・乾燥・殺菌機構と、容器の外部を洗浄・乾燥・殺菌するための容器外部洗浄・乾燥・殺菌機構を備えており、
把持機構は、把持機構を回転可能に固定する回転機構に備えられており、
容器内部洗浄・乾燥・殺菌機構と容器外部洗浄・乾燥・殺菌機構は、高圧高温の水蒸気を噴出するためのノズルヘッドとそのノズルヘッドを先端に備えた配管であるノズルヘッド支持体を備えており、各ノズルヘッド支持体は、ノズルヘッド支持体を保持して駆動可能なノズルヘッド支持体駆動機構に備えられていることを特徴とする容器洗浄機。
【請求項３】
前記容器内部乾燥機構と前記容器外部乾燥機構とは、乾燥手段として熱風を使用していることを特徴とする請求項１に記載の容器洗浄機。
【請求項４】
前記容器内部殺菌機構は、殺菌手段として紫外線を使用していることを特徴とする請求項１に記載の容器洗浄機。
【請求項５】
請求項１に記載の容器洗浄機を使用した容器の洗浄方法であって、
飲料用自動販売機の利用者が持参した容器を、容器の開口部を下にして固定する保持工程と、
その容器を回転させた状態で容器の深さ方向にノズルヘッドを移動させながら液体を噴出することによって、容器の内部および外部に付着した汚染物や異物を除去する洗浄工程と、
洗浄工程で容器に付着した液体や液滴を、容器を回転させることによって除去した後に、容器の外部および内部を乾燥する乾燥工程と、
容器を殺菌する殺菌工程と、をこの順に備えていることを特徴とする容器の洗浄方法。
【請求項６】
請求項２に記載の容器洗浄機を使用した容器の洗浄方法であって、
飲料用自動販売機の利用者が持参した容器を、容器の開口部を下にして固定する保持工程と、
その容器を回転させた状態で容器の深さ方向にノズルヘッドを移動させながら高温高圧蒸気を噴出することによって、容器の内部および外部に付着した汚染物や異物を除去し、乾燥し、殺菌する洗浄・乾燥・殺菌工程と、をこの順に備えていることを特徴とする容器の洗浄方法。
【発明の詳細な説明】
【技術分野】
【０００１】
本発明は、容器の洗浄機および洗浄方法に関する。
【背景技術】
【０００２】
自動販売機にて販売されている飲料の容器としては、缶、瓶、紙容器・紙カップなど多種類の容器が存在する。それらを構成する材料としても、金属、プラスチック、紙およびそれらを複合させた材料など、多種多用なものが使用されている。
【０００３】
このような飲料容器には、継続的に低コスト化が求められている一方で、環境面では廃棄物を低減することが強く求められている。
【０００４】
このような状況の中で、低コスト化の１つの方法として、自分専用の容器を使用する方法が考えられている。このようにすることで、容器のコストを省くことが可能となり、低コスト化する方法である。このような形態では、容器を持参することになるが、持参した容器は必ずしも十分な衛生状態では無いため、自動販売機側で、短時間に容器を、自動的に、洗浄し、乾燥し、殺菌することができる洗浄装置が不可欠になると考えられる。
【０００５】
容器の洗浄技術としては、例えば特許文献１には、配管中や容器の中に挿入して高圧水の圧力を使って回転しながら高圧水を噴出して洗浄するノズルヘッドが開示されている。このノズルヘッドは、それまでの回転型ノズルヘッドの回転が高速になり過ぎることで噴出水による洗浄力が弱くなる問題や、回転による過度の磨耗が原因の短寿命化などの問題を抱えていたのに対し、ノズルヘッドの過度の高速回転を抑制することで、それらの問題を解決する提案である。しかしながら、ノズルヘッドを回転させることによる圧力ロスがもたらす洗浄力の低下を解決するには至っておらず、必ずしも容器の洗浄に最適な技術であるとは言えない。
【０００６】
また、容器の洗浄は内部だけでなく、外部も実施する必要がある。また、洗浄後に水滴が残っていては衛生的ではないため、水滴の除去および乾燥も必要になるが、乾燥だけで数分〜数十分程度の時間を要する。
【０００７】
また、殺菌処理も必要があるが、洗浄、乾燥、殺菌までを実施可能な自動販売機用の容器洗浄機は存在せず、待望されているのが現状である。
【先行技術文献】
【特許文献】
【０００８】
【特許文献１】特開２０１０−２１４２９５号公報
【発明の概要】
【発明が解決しようとする課題】
【０００９】
上記の事情に鑑み、本発明はノズルヘッドを回転することなく、利用者が持参した容器の内外両面の洗浄、乾燥、殺菌を実施可能な飲料用自動販売機の容器洗浄機を提供することを課題とする。
【課題を解決するための手段】
【００１０】
上記の課題を解決する手段として、請求項１に記載の発明は、飲料用自動販売機に使用する容器洗浄機であって、
飲料用自動販売機の利用者が持参した容器を吸着し、把持し固定するための保持手段と
、洗浄するための洗浄手段と、洗浄後に液滴を除去し乾燥するための乾燥手段と、乾燥後に殺菌するための殺菌手段と、これらの手段の動作を制御するための制御手段とを備えており、
保持手段は、把持機構により容器の開口部が下になるように容器を保持するものであり、
洗浄手段は、容器の内部に挿入して洗浄するための容器内部洗浄機構と、容器の外部を洗浄するための容器外部洗浄機構を備えており、
乾燥手段は、容器の内部に挿入して液滴を除去し乾燥するための容器内部乾燥機構と、容器の外部の液滴を除去し乾燥するための容器外部乾燥機構を備えており、
殺菌手段は、容器の内部に挿入して殺菌するための容器内部殺菌機構を備えており、
把持機構は、容器を把持したまま回転することで、容器に付着した液体や水滴を除去可能な回転機構に備えられており、
容器内部洗浄機構と容器外部洗浄機構は、高圧の液体や高圧の気体を噴出するためのノズルヘッドとそのノズルヘッドを先端に備えた配管であるノズルヘッド支持体を備えており、各ノズルヘッド支持体は、ノズルヘッド支持体を保持して駆動することが可能なノズルヘッド支持体駆動機構に備えられていることを特徴とする容器洗浄機である。
【００１１】
また請求項２に記載の発明は、飲料用自動販売機に使用する容器洗浄機であって、
飲料用自動販売機の利用者が持参した容器を吸着し、把持し固定するための保持手段と、洗浄・乾燥・殺菌を同時に行う洗浄・乾燥・殺菌手段と、これらの手段の動作を制御するための制御手段とを備えており、
保持手段は、把持機構により容器の開口部が下になるように容器を保持するものであり、
洗浄・乾燥・殺菌手段は、容器の内部に挿入して洗浄するための容器内部洗浄・乾燥・殺菌機構と、容器の外部を洗浄・乾燥・殺菌するための容器外部洗浄・乾燥・殺菌機構を備えており、
把持機構は、把持機構を回転可能に固定する回転機構に備えられており、
容器内部洗浄・乾燥・殺菌機構と容器外部洗浄・乾燥・殺菌機構は、高圧高温の水蒸気を噴出するためのノズルヘッドとそのノズルヘッドを先端に備えた配管であるノズルヘッド支持体を備えており、各ノズルヘッド支持体は、ノズルヘッド支持体を保持して駆動可能なノズルヘッド支持体駆動機構に備えられていることを特徴とする容器洗浄機である。
【００１２】
また請求項３に記載の発明は、前記容器内部乾燥機構と前記容器外部乾燥機構とは、乾燥手段として熱風を使用していることを特徴とする請求項１に記載の容器洗浄機である。
【００１３】
また請求項４に記載の発明は、前記容器内部殺菌機構は、殺菌手段として紫外線を使用していることを特徴とする請求項１に記載の容器洗浄機である。
【００１４】
また請求項５に記載の発明は、請求項１に記載の容器洗浄機を使用した容器の洗浄方法であって、
飲料用自動販売機の利用者が持参した容器を、容器の開口部を下にして固定する保持工程と、
その容器を回転させた状態で容器の深さ方向にノズルヘッドを移動させながら液体を噴出することによって、容器の内部および外部に付着した汚染物や異物を除去する洗浄工程と、
洗浄工程で容器に付着した液体や液滴を、容器を回転させることによって除去した後に、容器の外部および内部を乾燥する乾燥工程と、
容器を殺菌する殺菌工程と、をこの順に備えていることを特徴とする容器の洗浄方法である。
【００１５】
また請求項６に記載の発明は、請求項２に記載の容器洗浄機を使用した容器の洗浄方法であって、
飲料用自動販売機の利用者が持参した容器の底部を把持し、容器の開口部を下にして固定する保持工程と、
その容器を回転させた状態で容器の深さ方向にノズルヘッドを移動させながら高温高圧蒸気を噴出することによって、容器の内部および外部に付着した汚染物や異物を除去し、乾燥し、殺菌する洗浄・乾燥・殺菌工程と、を備えていることを特徴とする容器の洗浄方法である。
【発明の効果】
【００１６】
本発明の容器洗浄機および容器の洗浄方法によれば、容器を回転させるため、ノズルヘッドを回転させることなく、飲料用自動販売機の利用者が持参した容器を、洗浄、乾燥、殺菌することが可能となる。
【図面の簡単な説明】
【００１７】
【図１】本発明の容器洗浄機の一例を示す概略説明図であって、容器内部洗浄機構が容器内部乾燥機構を兼ねる場合の例であって、また保持手段の把持機構が容器を把持している状態を示している。
【図２】図１に示した本発明の容器洗浄機が、容器内部殺菌機構を容器内に挿入し、紫外線を容器内に照射している状態の一例を例示した概略説明図である。
【図３】図１に示した本発明の容器洗浄機が、容器下部を把持していた把持機構を開いて、容器外部乾燥機構がその部分を乾燥している状態を例示した概略説明図である。
【図４】図１に示した本発明の容器洗浄機において、容器内部洗浄機構と容器外部洗浄機構のノズルヘッドが、高温高圧水蒸気を噴射するノズルヘッドである場合を例示した概略説明図である。
【発明を実施するための形態】
【００１８】
本発明の容器洗浄機の実施形態について説明する。
本発明の容器洗浄機は、利用者が飲料を入れるために持参した容器を、飲料用自動販売機で使用するために、洗浄するための洗浄機である。その容器洗浄機の構成は、周囲環境から隔離された空間に、容器を逆さまに把持し固定するための保持手段と、容器を洗浄するための洗浄手段と、洗浄後に水滴を除去し乾燥するための乾燥手段と、乾燥後に殺菌するための殺菌手段と、それらの各手段の動作を制御するための制御手段を備えている。
【００１９】
＜第一の実施形態＞
本発明の第一の実施形態を、図１〜図３を用いて説明する。
本発明の容器洗浄機は、飲料用自動販売機に使用する容器洗浄機１０であって、飲料用自動販売機の利用者が持参した容器１を把持し固定するための保持手段５と、洗浄するための洗浄手段と、洗浄後に液滴を除去し乾燥するための乾燥手段と、乾燥後に殺菌するための殺菌手段と、これらの手段の動作を制御するための制御手段とを備えている。
【００２０】
保持手段５は、容器１の開口部を下にして容器１の底面を吸着する吸着機構（図示せず）と底部（底面に近い容器１の側面）を把持するための把持機構４を備えている。把持機構４は、吸着した容器１を更に機械的に把持するための機構である。飲料用自動販売機の利用者が持参した容器１の底面を上にして（容器１の開口部を下にして）、保持手段５の吸着手段に押し当てると、その吸着手段が容器１の底面を吸着する。その次に把持機構４で機械的に把持するのであるが、その時に、把持機構４が機械的に把持しながら保持手段５の回転中心と容器１の中心軸を一致させる様に把持することにより、後で水滴をふり切るために高速回転させた時に、中心がぶれない、スムーズな回転が可能となる。そのため、吸着手段の吸着力は、把持機構４が容器１を把持しながらその中心軸を保持手段５の回転中心に合わせる時に、容器１が吸着手段に吸着されながらも容易にスライドできる程度であることが好ましい。
【００２１】
また把持機構４は、容器１を把持したまま高速回転することで、容器１に付着した液体や水滴をふりきることによって除去するための回転可能な駆動機構１１に備えられている。また、その回転可能な駆動機構１１を低速回転させながら洗浄、乾燥、殺菌を実施することで、より均一な処理が可能となる。把持機構４は、３箇所以上で容器１の底部を把持し固定する機構であれば良い。容器１の底面が保持手段５と接する部位に、容器１の底面を吸引、吸着する機構が備えられている。この吸引、吸着する機構としては、真空吸引が好適に使用できるが、利用者が容器１の底面を保持手段５に押し当てた時に吸着し、洗浄・乾燥・殺菌の一貫した処理が終了後、利用者が容易に取り去る事ができる機構であればよい。
【００２２】
また洗浄手段は、容器１の内部に挿入して洗浄するための容器内部洗浄機構７と、容器１の外部を洗浄するための容器外部洗浄機構８を備えている。
【００２３】
容器内部洗浄機構７と容器外部乾燥機構８は、高圧の液体や高圧の気体を噴出するためのノズルヘッド２、２１とそれらのノズルヘッドを先端に備えた配管であるノズルヘッド支持体３、３１を備えており、各ノズルヘッド支持体３、３１は、ノズルヘッド支持体を保持して駆動することが可能なノズルヘッド支持体駆動機構１３、１２にそれぞれ備えられている。
【００２４】
容器外部洗浄機構８は、配管を兼ねる支持体であるノズルヘッド支持体３１の先端部にノズルヘッド２１が備えられており、そのノズルヘッド支持体３１は、容器１の外部をノズルヘッド支持体駆動機構１２によって移動しながら液体を噴出することによって洗浄を実施する。ノズルヘッド支持体駆動機構１２は容器１の長手方向に移動可能であっても良いし、固定されていても良い。固定されている場合は、保持手段の駆動機構１１が図１に示した方向に移動することで容器１を洗浄する。
【００２５】
容器内部洗浄機構７は、ノズルヘッド支持機構３が備えられた駆動機構１３を、図１の矢印の方向に移動させながら、同時に容器１を駆動機構１１によって回転させながら、ノズルヘッド２から液体を噴出することによって、洗浄処理を実施する。
【００２６】
次に乾燥処理を実施する。
乾燥手段は、容器１の内部に挿入して液滴を除去し乾燥するための容器内部乾燥機構（図示せず）と、容器１の外部の液滴を除去し乾燥するための容器外部乾燥機構６を備えている。容器内部乾燥機構は、容器内部洗浄機構７と同様の構成をしており、乾燥した気体や高温高圧空気などを噴出させることができるノズルヘッドと、そのノズルヘッドが備えられた配管を兼ねた支持体であるノズルヘッド支持体を備えていても良いし、容器内部洗浄機構７が兼ねていても良い。すなわち、容器内部洗浄機構７として機能させる時は、ノズルヘッド２から噴出させるのは水や洗浄液とし、容器外部乾燥機構６として機能させる時は、乾燥した気体や高温高圧空気などを噴出させることによって実施可能である。
【００２７】
乾燥手段は、まず、容器１の外部に付着している液滴を、駆動機構１１を高速回転させることによる遠心力でふり切る。次に、容器外部乾燥機構６を使用して、高圧気体または熱風を吹き付けることにより、乾燥させる。次に、容器１下部を把持していた把持手段５の把持機構４を開くことによって、把持機構４と容器１の外部壁面に付着している液体または液滴を、高圧気体を吹き付ける事で吹き飛ばすか、熱風乾燥させることができる（図３参照）。この時は、把持機構４を回転させることにより、容器全体に亘って乾燥させることができる。
【００２８】
また、容器外部乾燥機構６を容器外部洗浄機構８が兼ねていても良い。容器外部洗浄機構８は、ノズルヘッド２１とそのノズルヘッド２１を先端に備えた配管であるノズルヘッド支持体３１から構成され、ノズルヘッド支持体３１は駆動機構１２に備えられている。
駆動機構１２により容器１のあらゆる部位にノズルヘッド２１を向けることが可能となっている。容器外部洗浄機構８から噴出させるものを、水や洗浄液から、高圧気体や高温高圧気体に切り換えることによって、乾燥処理を実施可能である。
【００２９】
乾燥処理が終了した後、殺菌処理を実施する。殺菌手段は、容器１の乾燥後に容器１の内部に挿入して殺菌するための容器内部殺菌機構１７を備えている（図２参照）。
殺菌処理は図２に示したように、容器１の内部に、容器内部殺菌機構１７を、駆動機構１５を使用して挿入し、紫外線を容器１の内壁面に照射することにより実施することが可能である。殺菌の手段は紫外線に限定する必要はないが、比較的に短時間で殺菌処理が完了するため、紫外線を使用することが好ましい。例えば、２５３．７ｎｍ付近の紫外線を好適に使用することができる。また、駆動機構１１を使用して容器１を回転させながら殺菌処理を行うことにより、均一な殺菌処理を実施することが可能である。
【００３０】
また、容器１の外部を殺菌処理しても良い。容器内部殺菌機構１７を使用して実施しても良いし、専用の容器外部殺菌機構を備えて、容器１の内部と外部を同時に殺菌処理することも可能である。
【００３１】
制御手段１６は、保持手段５と洗浄手段と乾燥手段と殺菌手段の動作を制御する制御装置である。例えば、各駆動機構１１、１２、１３、１４とインターフェースをとった市販のプログラマブルシーケンサーを使用することが可能である。
【００３２】
＜第二の実施形態＞
次に、本発明の第二の実施形態について図４を用いて説明する。
本発明の第二の実施形態は、飲料用自動販売機に使用する容器洗浄機３０であって、飲料用自動販売機の利用者が持参した容器１を吸着、把持し固定するための保持手段５と、洗浄・乾燥・殺菌を同時に行う洗浄・乾燥・殺菌手段と、これらの手段の動作を制御するための制御手段１６とを備えている。
【００３３】
また、保持手段５は、容器１の開口部が下になるように容器１の底面を吸着する吸着手段と底部（容器１の底面に近い側面）を把持するための把持機構４を備えている。
また、洗浄・乾燥・殺菌手段は、容器１の内部に挿入して洗浄するための容器内部洗浄・乾燥・殺菌機構１８と、容器の外部を洗浄・乾燥・殺菌するための容器外部洗浄・乾燥・殺菌機構１９を備えている。
【００３４】
把持機構４は、把持機構４を回転可能に固定する駆動機構１１に備えられている。
【００３５】
容器内部洗浄・乾燥・殺菌機構１８と容器外部洗浄・乾燥・殺菌機構１９は、高圧高温の水蒸気を噴出するためのノズルヘッド２３、２２とそのノズルヘッドを先端に備えた配管であるノズルヘッド支持体３３、３２を備えており、各ノズルヘッド支持体３３、３２は、ノズルヘッド支持体を保持して駆動可能なノズルヘッド支持体駆動機構１３、１２にそれぞれ備えられている。
【００３６】
制御手段１６は、保持手段５と洗浄手段と乾燥手段と殺菌手段の動作を制御する制御装置である。
【００３７】
容器内部洗浄・乾燥・殺菌機構１８と容器外部洗浄・乾燥・殺菌機構１９は、高圧高温の水蒸気のジェット噴射を、容器１の内壁面および外壁面に吹き付けることによって、表
面に付着していた異物を吹き飛ばし、水溶性の汚ればかりでなく、油性の汚れも容易に除去することができる。また高温の水蒸気であるため、同時に殺菌することも可能である。また、この高温高圧水蒸気のジェット噴射は、ジェット噴射を止めると直ぐに乾燥した表面が得られる。そのため、熱風による乾燥処理が不要となる。
【００３８】
＜容器の洗浄方法（１）＞
本発明の容器洗浄機を使用した容器の洗浄方法について説明する。
第一の実施形態で説明した容器洗浄機を使用した容器の洗浄方法について説明する。
【００３９】
飲料用自動販売機の利用者が持参した容器の底面を吸着し、底部（底面にちかい側面）を把持し、容器の開口部を下にして固定する保持工程と、その容器を回転させた状態で容器の深さ方向にノズルヘッドを移動させながら液体を噴出するによって、容器の内部および外部に付着した汚染物や異物を除去する洗浄工程と、洗浄工程で容器に付着した液体や液滴を除去した後に乾燥する乾燥工程と、容器の内部を殺菌する殺菌工程と、をこの順に備えている。
【００４０】
乾燥工程は、洗浄工程で容器に付着した液体や液滴を除去する工程であり、容器を保持工程で固定した保持手段が備えられた駆動機構が、容器を付着した液体や液滴を回転によってふり切れる程度の高速回転まで回転させて除去する手段と、その後熱風を吹き付けることにより乾燥させる手段からなる。
【００４１】
殺菌工程は、容器の内部に紫外線を照射することによって殺菌する手段である。容器の外部に紫外線を照射し、殺菌しても良い。
【００４２】
＜容器の洗浄方法（２）＞
本発明の第二の実施形態で説明した容器洗浄機を使用した容器の洗浄方法について説明する。
飲料用自動販売機の利用者が持参した容器の底面を吸着し、底部（底面にちかい側面）を把持し、容器の開口部を下にして固定する保持工程と、その容器を回転させた状態で容器の深さ方向にノズルヘッドを移動させながら高温高圧蒸気を噴出するによって、容器の内部および外部に付着した汚染物や異物を除去し、乾燥し、殺菌する洗浄・乾燥・殺菌工程と、をこの順に備えている容器の洗浄方法である。
【００４３】
容器の洗浄方法（２）は、保持工程は容器の洗浄方法（１）で説明した容器の洗浄方法と異なるのは、洗浄工程と乾燥工程と殺菌工程を同時に実施する１つの洗浄・乾燥・殺菌工程で実施する点である。
【００４４】
１つの工程で実施可能となるのは、高温高圧水蒸気のジェット噴射を使用するためである。高温高圧水蒸気は１００℃前後の高温の水蒸気である。密封した耐圧容器の中で水を加熱することで容易に得られる水蒸気の圧力を使用することで、例えば３ｂａｒ前後に加圧された水蒸気を作り出すことができる。その加圧された水蒸気をノズルヘッドからジェット噴射させることにより、高い洗浄効果が得られると同時に、水蒸気のジェット噴射を止めると直ぐに乾燥し、更に高温に晒されるため、殺菌効果が高い。また、紫外線照射処理を併用することによって、更に高い殺菌効果が得られる。
【００４５】
飲料用自動販売機の利用者が持参した容器を洗浄するための容器洗浄機について説明した。第一および第二の実施形態では、本発明の容器洗浄機の構成と働きを説明した。容器の洗浄方法（１）および（２）では、本発明の容器洗浄機を使用した容器の洗浄方法について説明した。以上に説明したように、本発明の容器洗浄機および容器の洗浄方法により、飲料用自動販売機の利用者が持参した容器を、本発明の容器洗浄機にセットするだけで
、自動的に、洗浄し、乾燥し、殺菌することが可能となる。
【符号の説明】
【００４６】
１・・・容器
２、２１、２２、２３・・・ノズルヘッド
３、３１、３２、３３・・・ノズルヘッド支持体
４・・・把持機構
５・・・保持手段
６・・・容器外部乾燥機構
７・・・容器内部洗浄機構
８・・・容器外部洗浄機構
１０、２０、３０・・・容器洗浄機
１１、１２、１３、１４、１５・・・駆動機構
１６・・・制御機構
１７・・・容器内部殺菌機構
１８・・・容器内部洗浄・乾燥・殺菌機構
１９・・・容器外部洗浄・乾燥・殺菌機構
【図１】
2017051904.tif 000003
【図２】
2017051904.tif 000004
【図３】
2017051904.tif 000005
【図４】
2017051904.tif 000006